(57)【要約】【課題】搬送機構を駆動するための駆動モータに関するメンテナンス時又は開発段階の作業性を向上することができる画像形成装置及び原稿読取装置を提供する。【解決手段】メンテナンスモードが選択されているときに、搬送機構（記録紙搬送機構又は原稿搬送機構）を駆動するためのステッピングモータ３４に供給する駆動電圧を設定し、その設定した駆動電圧を駆動電圧供給部３０ａからステッピングモータ３４に供給する。これにより、外部電源をステッピングモータ３４に接続して駆動電圧を調整するといった作業を行うことなく、ステッピングモータ３４の駆動電圧の設定を容易に行うことができる。したがって、上記ステッピングモータ３４に関するメンテナンス時又は開発段階の作業性を向上することができる。【選択図】  図２
2009139567.tif 000002
【特許請求の範囲】
【請求項１】
感光体ドラムの表面に形成された静電潜像を現像して、搬送機構により搬送される記録紙に転写することにより画像を形成する画像形成装置であって、
上記搬送機構を駆動するための駆動モータと、
上記駆動モータに駆動電圧を供給する電圧供給部と、
メンテナンス作業を行う際に実行されるメンテナンスモードを選択するためのメンテナンスモード選択部と、
上記メンテナンスモードが選択されているときに、上記駆動モータに供給する駆動電圧を設定するための電圧設定部とを備えたことを特徴とする画像形成装置。
【請求項２】
上記駆動モータが、ステッピングモータであることを特徴とする請求項１に記載の画像形成装置。
【請求項３】
搬送機構により搬送される原稿の画像を読み取るための原稿読取装置であって、
上記搬送機構を駆動するための駆動モータと、
上記駆動モータに駆動電圧を供給する電圧供給部と、
メンテナンス作業を行う際に実行されるメンテナンスモードを選択するためのメンテナンスモード選択部と、
上記メンテナンスモードが選択されているときに、上記駆動モータに供給する駆動電圧を設定するための電圧設定部とを備えたことを特徴とする原稿読取装置。
【請求項４】
上記駆動モータが、ステッピングモータであることを特徴とする請求項３に記載の原稿読取装置。
【発明の詳細な説明】
【技術分野】
【０００１】
本発明は、感光体ドラムの表面に形成された静電潜像を現像して、搬送機構により搬送される記録紙に転写することにより画像を形成する画像形成装置、及び、搬送機構により搬送される原稿の画像を読み取るための原稿読取装置に関するものである。
【背景技術】
【０００２】
プリンタ又は複写機などの画像形成装置として、感光体ドラムの表面に形成された静電潜像を現像して記録紙に転写することにより画像を形成する構成が知られている（例えば、特許文献１〜３参照）。この種の画像形成装置には、上記感光体ドラムの他、静電潜像を現像する現像器、現像されたトナー像を記録紙に転写する転写器、記録紙を搬送するための搬送機構などが備えられている。
【０００３】
上記搬送機構には、給紙ローラ、レジストローラ、排出ローラ及び複数の搬送ローラなどが含まれる。給紙ローラは、記録紙カセット内に積層された状態で収容されている複数枚の記録紙を１枚ずつ送り出すためのものである。給紙ローラから送り出された記録紙は、感光体ドラムの直前で一旦停止され、感光体ドラムに形成されるトナー像を転写させるタイミングに合わせてレジストローラにより送り出される。トナー像が転写された後の記録紙は、定着器により定着処理が施された後、排出ローラにより機外に排出される。上記搬送ローラは、給紙ローラとレジストローラとの間、及び、感光体ドラムと排出ローラとの間などの搬送路に複数配置される。
【０００４】
感光体ドラムは、例えばＤＣモータ（直流モータ）により駆動される。一方、搬送機構の上記各ローラは、例えばステッピングモータにより駆動される。ステッピングモータは、上記のような記録紙の搬送機構だけでなく、原稿読取装置に備えられた原稿を搬送するための搬送機構の駆動にも用いられる場合がある（例えば、特許文献４参照）。
【０００５】
【特許文献１】特開平４−１０９２５８号公報
【特許文献２】特開平５−３０４７１８号公報
【特許文献３】特開平４−２６１３８２号公報
【特許文献４】特開昭６１−１３９２９８号公報
【発明の開示】
【発明が解決しようとする課題】
【０００６】
上記搬送機構を駆動するためのステッピングモータなどの駆動モータは、通常、定電圧で駆動するものが使用される。この種の駆動モータは、ＤＣモータと比べてトルクが小さく、記録紙又は原稿などのシートが搬送路の途中で詰まる現象（ジャム）が生じたときのように、搬送機構に高負荷がかかった状態などには、脱調（駆動モータが回転しない状態）する場合がある。
【０００７】
そのため、メンテナンス時又は開発段階では、駆動モータをある程度大きい駆動電圧で駆動させ、当該駆動電圧を徐々に低下させるといった作業を行うことにより、脱調しない駆動電圧の設定を行っている。このような作業は、一般的に、外部電源を駆動モータに接続し、当該外部電源から駆動モータに供給する駆動電圧を調整することにより行われている。
【０００８】
本発明は上記実情に鑑みてなされたものであり、搬送機構を駆動するための駆動モータに関するメンテナンス時又は開発段階の作業性を向上することができる画像形成装置及び原稿読取装置を提供することを目的とする。
【課題を解決するための手段】
【０００９】
第１の本発明に係る画像形成装置は、感光体ドラムの表面に形成された静電潜像を現像して、搬送機構により搬送される記録紙に転写することにより画像を形成する画像形成装置であって、上記搬送機構を駆動するための駆動モータと、上記駆動モータに駆動電圧を供給する電圧供給部と、メンテナンス作業を行う際に実行されるメンテナンスモードを選択するためのメンテナンスモード選択部と、上記メンテナンスモードが選択されているときに、上記駆動モータに供給する駆動電圧を設定するための電圧設定部とを備えたことを特徴とする。
【００１０】
このような構成によれば、メンテナンスモードを選択してメンテナンス作業を行っているときに、搬送機構を駆動するための駆動モータに供給する駆動電圧を設定し、その設定した駆動電圧を電圧供給部から駆動モータに供給することができる。これにより、外部電源を駆動モータに接続して駆動電圧を調整するといった作業を行うことなく、駆動モータの駆動電圧の設定を容易に行うことができる。上記メンテナンスモードは、開発段階で作業者が選択することも可能である。したがって、本発明の構成によれば、上記駆動モータに関するメンテナンス時又は開発段階の作業性を向上することができる。
【００１１】
本発明は、メンテナンスモードにおいて駆動モータの駆動電圧を可変とすることにより、装置のトルク値を即座に計測することが可能になっていることを１つの特徴としている。これにより、メンテナンスの際、装置のトルクを確認することができ、異常な負荷がかかっている場合には、装置内のいずれかの箇所に不具合が生じていると考えられるので、故障個所の早期発見につながる。また、開発段階においても、外部電源を必要とすることなくトルクを計測することができるので、開発効率を向上することができる。
【００１２】
第２の本発明に係る画像形成装置は、上記駆動モータが、ステッピングモータであることを特徴とする。
【００１３】
このような構成によれば、搬送機構を駆動するための駆動モータとしてステッピングモータが使用されている場合に、当該ステッピングモータに関するメンテナンス時又は開発段階の作業性を向上することができる。
【００１４】
第３の本発明に係る原稿読取装置は、搬送機構により搬送される原稿の画像を読み取るための原稿読取装置であって、上記搬送機構を駆動するための駆動モータと、上記駆動モータに駆動電圧を供給する電圧供給部と、メンテナンス作業を行う際に実行されるメンテナンスモードを選択するためのメンテナンスモード選択部と、上記メンテナンスモードが選択されているときに、上記駆動モータに供給する駆動電圧を設定するための電圧設定部とを備えたことを特徴とする。
【００１５】
このような構成によれば、第１の本発明に係る画像形成装置と同様の効果を奏する原稿読取装置を提供することができる。
【００１６】
第４の本発明に係る原稿読取装置は、上記駆動モータが、ステッピングモータであることを特徴とする。
【００１７】
このような構成によれば、第２の本発明に係る画像形成装置と同様の効果を奏する原稿読取装置を提供することができる。
【発明の効果】
【００１８】
本発明によれば、メンテナンスモードを選択してメンテナンス作業を行っているときに、搬送機構を駆動するための駆動モータに供給する駆動電圧を設定し、その設定した駆動電圧を電圧供給部から駆動モータに供給することができるので、上記駆動モータに関するメンテナンス時又は開発段階の作業性を向上することができる。
【発明を実施するための最良の形態】
【００１９】
図１は、本発明の一実施形態に係る画像形成装置１の内部構成を示した概略断面図である。この画像形成装置１は、自動原稿送り装置（ＡＤＦ）２、原稿読取部３、画像形成部４及び給紙部５を備えた複写機である。
【００２０】
ＡＤＦ２は、原稿トレイ２ａを備えており、当該原稿トレイ２ａ上に１枚の原稿を置き、又は、２枚以上の原稿を積層した状態で置くことができるようになっている。ＡＤＦ２は、ピックアップローラ２ｂ及び分離手段（分離ローラとリタードローラの対）２ｃにより、原稿トレイ２ａ上に置かれた原稿を１枚ずつ送り出す。送り出された原稿は、複数の搬送ローラ２ｄ、２ｅ、２ｆにより搬送路２ｇを搬送され、当該搬送路２ｇの途中に位置する読取ポイントＡにおいて、静止したスキャナ３ａにより画像が読み取られる。画像が読み取られた後の原稿は、排出ローラ２ｈにより原稿排出トレイ２ｉ上に順次排出される。
【００２１】
スキャナ３ａには、複数のＣＣＤ(Charge Coupled Devices)が、原稿の搬送方向に対して直交する水平方向（図１における紙面の前後方向）である主走査方向に並べて配置されている。原稿読取部３には、ＡＤＦ２により搬送される原稿をスキャナ３ａが静止した状態で読み取る静止読取領域３ｂと、ガラス板３ｄ上に置かれた原稿をスキャナ３ａが移動しながら読み取る移動読取領域３ｃとが備えられている。
【００２２】
図１では、スキャナ３ａが読取ポイントＡの直下の静止読取領域３ｂに静止し、ＡＤＦ２により１枚ずつ搬送される原稿の画像を読み取る状態が示されている。この静止読取領域３ｂで原稿を読み取る場合には、スキャナ３ａの各ＣＣＤで原稿からの反射光を受光することにより主走査が行われるとともに、読取ポイントＡを原稿が搬送されることにより副走査が行われる。一方、移動読取領域３ｃで原稿を読み取る場合には、スキャナ３ａの各ＣＣＤで原稿からの反射光を受光することにより主走査が行われるとともに、スキャナ３ａが主走査方向に直交する水平方向（副走査方向）に移動することにより副走査が行われる。
【００２３】
画像形成部４は、感光体ドラム４ａ、帯電器４ｂ、光書込みユニット４ｃ、現像器４ｄ、転写器４ｅ及び定着器４ｆを備え、電子写真方式により記録紙Ｐに画像を形成する。感光体ドラム４ａの表面には感光体が形成されており、画像形成時には、回転駆動される感光体ドラム４ａの表面が帯電器４ｂにより一様に帯電される。光書込みユニット４ｃは、スキャナ３ａで読み取った原稿の画像データなどに基づいて、ＬＥＤ(Light-Emitting Diode)又はレーザ光源から光を出力する。帯電器４ｂにより一様に帯電された感光体ドラム４ａの表面には、光書込みユニット４ｃから出力される光で露光されることにより、静電潜像が形成される。
【００２４】
静電潜像が形成された感光体ドラム４ａの表面には、現像器４ｄから供給されるトナーが付着することによりトナー像が形成され、このトナー像が転写器４ｅを用いて記録紙Ｐに転写される。トナー像が転写された記録紙Ｐは、定着器４ｆにより加熱処理及び加圧処理が施された後、排出ローラ４ｇから排出トレイ４ｈ上に排出される。
【００２５】
給紙部５は、記録紙Ｐを収容するための記録紙カセット６を備えており、この記録紙カセット６内に設けられた支持板９上に、記録紙Ｐを積層した状態で収容することができるようになっている。支持板９は、その一端部に設けられた支軸９ａを中心に回転可能となっており、支軸９ａ側とは反対側の端部が圧縮ばね９ｂによって上方へ付勢されることにより、最上部の記録紙Ｐが給紙ローラ２１に対して押圧される。この状態で給紙ローラ２１が回転駆動されることにより、記録紙カセット６内に収容されている記録紙Ｐが、搬送路１２に１枚ずつ送り出される。
【００２６】
搬送路１２には、１つ又は複数の搬送ローラ１３が設けられている。記録紙カセット６から１枚ずつ送り出される記録紙Ｐは、搬送ローラ１３により搬送路１２内を搬送され、画像形成部４へと送られる。そして、記録紙Ｐは感光体ドラム４ａの直前で一旦停止され、感光体ドラム４ａに形成されるトナー像を転写させるタイミングに合わせてレジストローラ１４により送り出される。この例では、搬送ローラ１３が感光体ドラム４ａよりも上流側（記録紙カセット６側）のみに設けられた構成が示されているが、このような構成に限らず、感光体ドラム４ａよりも下流側（排出トレイ４ｈ側）にも搬送ローラ１３が設けられていてもよい。
【００２７】
上記のような画像形成部４及び給紙部５は、筺体１ａ内に配置されており、当該筺体１ａの上面に上記ガラス板３ｄが形成されている。ＡＤＦ２は、筺体１ａの上面に対して上下に開閉可能に取り付けられている。したがって、ガラス板３ｄ上に置かれた原稿をスキャナ３ａで読み取る場合には、ＡＤＦ２を閉じることにより、当該ＡＤＦ２とガラス板３ｄとの間に原稿を挟むことができるようになっている。
【００２８】
筺体１ａの一部は、支軸１１ａを中心に開閉可能な開閉カバー１１を構成している。開閉カバー１１の内面は、上記搬送路１２の一部を形成しており、当該開閉カバー１１を開いて上記搬送路１２を開放することにより、当該搬送路１２の途中に詰まった（ジャムした）記録紙Ｐを容易に取り出すことができる。
【００２９】
図２は、図１の画像形成装置１の電気的構成を示したブロック図である。当該画像形成装置１は、制御部３０、操作部３１、表示部３２、ＤＣモータ３３及びステッピングモータ３４などを備えている。制御部３０は、ＣＰＵ(Central Processing Unit)を備え、当該ＣＰＵがコンピュータプログラムを実行することにより他の各部の動作を制御する。
【００３０】
操作部３１は、入力を行うために操作されるキーなどからなり、ユーザの他、メンテナンス作業を行う作業者などによって操作される。表示部３２は、例えば液晶表示器からなり、表示画面に各種情報を表示することができる。ただし、操作部３１及び表示部３２が別個に設けられた構成に限らず、タッチパネル式の操作パネルを採用することにより、当該操作パネルの表示画面に各種情報を表示するとともに、当該表示画面にタッチすることにより入力を行うことができるような構成であってもよい。
【００３１】
ＤＣモータ３３は、当該画像形成装置１におけるメイン駆動モータであり、少なくとも感光体ドラム４ａを回転駆動する。ＤＣモータ３３は、感光体ドラム４ａだけでなく、当該感光体ドラム４ａと同期して駆動する現像器４ｄ、転写器４ｅ又は定着器４ｆなど、画像形成部４に備えられた各部の駆動モータを兼用することができる。ただし、感光体ドラム４ａを回転駆動するための駆動モータとしては、ＤＣモータ３３に限らず、他の各種モータを採用することも可能である。
【００３２】
ステッピングモータ３４は、当該画像形成装置１におけるサブ駆動モータであり、ＤＣモータ３３により駆動される機構以外の機構を駆動するものである。当該ステッピングモータ３４は、記録紙Ｐを搬送するための記録紙搬送機構、及び、原稿を搬送するための原稿搬送機構の駆動モータとして使用することができる。ただし、記録紙搬送機構及び原稿搬送機構を駆動するための駆動モータとしては、ステッピングモータ３４に限らず、他の各種モータを採用することも可能である。
【００３３】
上記記録紙搬送機構には、少なくとも搬送ローラ１３が含まれるが、当該搬送ローラ１３以外に、レジストローラ１４、給紙ローラ２１又は排出ローラ４ｇが含まれていてもよい。上記原稿搬送機構には、少なくとも搬送ローラ２ｄ、２ｅ、２ｆが含まれるが、当該搬送ローラ２ｄ、２ｅ、２ｆ以外に、ピックアップローラ２ｂ、分離手段２ｃ又は排出ローラ２ｈが含まれていてもよい。
【００３４】
制御部３０には、駆動電圧供給部３０ａが備えられており、当該駆動電圧供給部３０ａから供給される駆動電圧により、ＤＣモータ３３及びステッピングモータ３４などの各部が動作するようになっている。駆動電圧供給部３０ａからＤＣモータ３３及びステッピングモータ３４に供給される駆動電圧は、初期値として出荷段階で予め設定されている。
【００３５】
本実施形態の画像形成装置１は、メンテナンス作業を行う際に、メンテナンスモードという特殊モードを実行することができる。操作部３１は、メンテナンスモード選択部３１ａを構成しており、メンテナンス作業を行う作業者が操作部３１を操作することにより、メンテナンスモードを選択することができるようになっている。
【００３６】
上記メンテナンスモードで行われるメンテナンス作業は、ユーザとは異なる専門的知識を有する作業者のみが行うことができる作業であり、搬送路１２からジャムした記録紙Ｐを取り出すような作業は、当該メンテナンスモード以外の通常モードでも行うことができる。上記メンテナンス作業としては、各種センサからの出力信号を確認する作業、各種モータの駆動状態を確認する作業、記録紙に転写されるトナーの濃度を確認する作業などが挙げられる。
【００３７】
上記メンテナンスモードは、操作部３１に対して暗証番号の入力などの特殊な操作を行うことにより実行することができるモードであり、上記作業者以外の一般のユーザは実行することができない。当該メンテナンスモードは、メンテナンス作業時に限らず、開発段階で作業者が操作部３１を操作することにより選択することも可能である。なお、メンテナンスモードが選択されているときには、コピー動作（原稿読取部３で読み取った原稿の画像データに基づいて、画像形成部４で記録紙Ｐに画像を形成する動作）を行うことができないようになっている。
【００３８】
メンテナンスモードが選択されているときには、操作部３１を操作することにより、駆動電圧供給部３０ａからステッピングモータ３４に供給する駆動電圧を設定することができるようになっている。このとき、操作部３１は、ステッピングモータ３４に供給する駆動電圧を設定するための電圧設定部３１ｂとして機能する。
【００３９】
図３は、メンテナンスモードが選択されたときの制御部３０による処理の一例を示したフローチャートである。この図３に示すように、操作部３１が操作されることによりメンテナンスモードが選択されると、操作部３１の操作によって駆動電圧の設定が行われるか否かが監視される（ステップＳ１０１）。
【００４０】
駆動電圧の設定の有無は、操作部３１が操作されて当該メンテナンスモードが終了（ステップＳ１０３でＹｅｓ）するまで監視される。メンテナンスモード中に、操作部３１の操作によって駆動電圧の設定が行われた場合には（ステップＳ１０１でＹｅｓ）、駆動電圧供給部３０ａからステッピングモータ３４に供給される駆動電圧が、その設定された駆動電圧に変更される（ステップＳ１０２）。上記駆動電圧の設定は、操作部３１を操作して数値を入力することにより行われるような構成、若しくは、操作部３１を操作して駆動電圧を増加又は減少させるような構成などであってもよい。
【００４１】
ステッピングモータ３４に供給される駆動電圧を設定する方法の一例としては、駆動電圧を所定値に一旦設定した後、当該駆動電圧を徐々に小さい値に設定する方法が考えられる。すなわち、ステッピングモータ３４をある程度大きい駆動電圧で駆動させ、当該駆動電圧を脱調するまで徐々に低下させることにより、脱調するときの駆動電圧を確認し、その結果に基づいて脱調しない駆動電圧を設定することができる。上記所定値は、ステッピングモータ３４の定格トルクに対応する電圧（定格電圧）、又は、上記定格電圧よりも小さく、脱調すると思われる値よりも大きい電圧などに設定することができる。
【００４２】
図４は、本発明の別の実施形態に係る原稿読取装置１００の内部構成を示した概略断面図である。この原稿読取装置１００は、図１のＡＤＦ２及び原稿読取部３と同様の構成を備えている。
【００４３】
ＡＤＦ２は、原稿トレイ２ａを備えており、当該原稿トレイ２ａ上に１枚の原稿を置き、又は、２枚以上の原稿を積層した状態で置くことができるようになっている。ＡＤＦ２は、ピックアップローラ２ｂ及び分離手段（分離ローラとリタードローラの対）２ｃにより、原稿トレイ２ａ上に置かれた原稿を１枚ずつ送り出す。送り出された原稿は、複数の搬送ローラ２ｄ、２ｅ、２ｆにより搬送路２ｇを搬送され、当該搬送路２ｇの途中に位置する読取ポイントＡにおいて、静止したスキャナ３ａにより画像が読み取られる。画像が読み取られた後の原稿は、排出ローラ２ｈにより原稿排出トレイ２ｉ上に順次排出される。
【００４４】
スキャナ３ａには、複数のＣＣＤが、原稿の搬送方向に対して直交する水平方向（図４における紙面の前後方向）である主走査方向に並べて配置されている。原稿読取部３には、ＡＤＦ２により搬送される原稿をスキャナ３ａが静止した状態で読み取る静止読取領域３ｂと、ガラス板３ｄ上に置かれた原稿をスキャナ３ａが移動しながら読み取る移動読取領域３ｃとが備えられている。
【００４５】
図４では、スキャナ３ａが読取ポイントＡの直下の静止読取領域３ｂに静止し、ＡＤＦ２により１枚ずつ搬送される原稿の画像を読み取る状態が示されている。この静止読取領域３ｂで原稿を読み取る場合には、スキャナ３ａの各ＣＣＤで原稿からの反射光を受光することにより主走査が行われるとともに、読取ポイントＡを原稿が搬送されることにより副走査が行われる。一方、移動読取領域３ｃで原稿を読み取る場合には、スキャナ３ａの各ＣＣＤで原稿からの反射光を受光することにより主走査が行われるとともに、スキャナ３ａが主走査方向に直交する水平方向（副走査方向）に移動することにより副走査が行われる。
【００４６】
この原稿読取装置１００は、図２に示したような上記画像形成装置１と同様の電気的構成を有している。すなわち、この原稿読取装置１００は、ステッピングモータ３４を備えており、当該ステッピングモータ３４は、原稿を搬送するための原稿搬送機構の駆動モータとして使用することができる。上記原稿搬送機構には、少なくとも搬送ローラ２ｄ、２ｅ、２ｆが含まれるが、当該搬送ローラ２ｄ、２ｅ、２ｆ以外に、ピックアップローラ２ｂ、分離手段２ｃ又は排出ローラ２ｈが含まれていてもよい。ただし、原稿搬送機構を駆動するための駆動モータとしては、ステッピングモータ３４に限らず、他の各種モータを採用することも可能である。
【００４７】
この原稿読取装置１００において、操作部３１が操作されることによりメンテナンスモードが選択された場合には、図３に示したフローチャートと同様の処理が行われる。これにより、メンテナンスモードが選択されているときには、操作部３１を操作することにより、駆動電圧供給部３０ａからステッピングモータ３４に供給する駆動電圧を設定することができるようになっている。
【００４８】
以上の実施形態では、メンテナンスモードが選択されているときに、搬送機構（記録紙搬送機構又は原稿搬送機構）を駆動するためのステッピングモータ３４に供給する駆動電圧を設定し、その設定した駆動電圧を駆動電圧供給部３０ａからステッピングモータ３４に供給することができる。これにより、外部電源をステッピングモータ３４に接続して駆動電圧を調整するといった作業を行うことなく、ステッピングモータ３４の駆動電圧の設定を容易に行うことができる。したがって、本実施形態の構成によれば、上記ステッピングモータ３４に関するメンテナンス時又は開発段階の作業性を向上することができる。
【００４９】
本発明は、メンテナンスモードにおいてステッピングモータ３４の駆動電圧を可変とすることにより、装置のトルク値を即座に計測することが可能になっていることを１つの特徴としている。これにより、メンテナンスの際、装置のトルクを確認することができ、異常な負荷がかかっている場合には、装置内のいずれかの箇所に不具合が生じていると考えられるので、故障個所の早期発見につながる。また、開発段階においても、外部電源を必要とすることなくトルクを計測することができるので、開発効率を向上することができる。
【００５０】
以上の実施形態では、本発明が複写機などの画像形成装置１又は原稿読取装置１００に適用された場合について説明したが、このような構成に限らず、本発明は、原稿読取部３を備えていないプリンタ（図１における画像形成部４及び給紙部５に相当）などにも適用可能である。
【図面の簡単な説明】
【００５１】
【図１】本発明の一実施形態に係る画像形成装置の内部構成を示した概略断面図である。
【図２】図１の画像形成装置の電気的構成を示したブロック図である。
【図３】メンテナンスモードが選択されたときの制御部による処理の一例を示したフローチャートである。
【図４】本発明の別の実施形態に係る原稿読取装置の内部構成を示した概略断面図である。
【符号の説明】
【００５２】
１    画像形成装置
２    ＡＤＦ
３    原稿読取部
４    画像形成部
４ａ  感光体ドラム
５    給紙部
３０    制御部
３０ａ  駆動電圧供給部
３１    操作部
３１ａ  メンテナンスモード選択部
３１ｂ  電圧設定部
３２    表示部
３３    ＤＣモータ
３４    ステッピングモータ
１００  原稿読取装置
【図１】
2009139567.tif 000003
【図２】
2009139567.tif 000004
【図３】
2009139567.tif 000005
【図４】
2009139567.tif 000006